(57)【要約】【課題】複数の通信方法に対応した通信装置およびその制御方法において、ユーザの使い勝手を考慮して通信方法の利用可否を制御する通信機器およびその制御方法を提供すること。【解決手段】通信装置は、第１の通信手段と、第２の通信手段とを有する。第１の通信手段と第２の通信手段とによる通信は排他的に制御される。そして、第２の通信手段による通信が確立している際に通信装置の電源をＯＦＦする操作が検出された場合、第１の通信手段への電力供給を維持した状態で通信装置を電源ＯＦＦ状態とする。【選択図】図４
2019008724.tif 000002
【特許請求の範囲】
【請求項１】
通信装置であって、
第１の通信手段と、
第２の通信手段と、
制御手段と、を有し、
前記制御手段は、
前記第１の通信手段と前記第２の通信手段とによる通信が排他的に行われるように制御し、
前記第２の通信手段による通信が確立している際に前記通信装置の電源をＯＦＦする操作が検出された場合、前記第１の通信手段への電力供給を維持した状態で前記通信装置を電源ＯＦＦ状態とする、
ことを特徴とする通信装置。
【請求項２】
前記制御手段は、
前記第２の通信手段による通信が確立している際に前記通信装置の電源をＯＦＦする操作が検出された場合、
前記通信装置の電源ＯＦＦ状態での通信を有効とする設定がなされている場合には前記第１の通信手段への電力供給を維持した状態で前記通信装置を電源ＯＦＦ状態とし、
前記通信装置の電源ＯＦＦ状態での通信を有効とする設定がなされていない場合には、前記第１の通信手段への電力供給を維持せずに前記通信装置を電源ＯＦＦ状態とする、
ことを特徴とする請求項１に記載の通信装置。
【請求項３】
前記第１の通信手段が無線通信手段であり、前記第２の通信手段が有線通信手段であることを特徴とする請求項１または請求項２に記載の通信装置。
【請求項４】
前記制御手段は、前記第１の通信手段による通信が確立している際に前記第２の通信手段に外部装置が接続されると前記第１の通信手段による通信を切断することを特徴とする請求項３に記載の通信装置。
【請求項５】
前記第１の通信手段および前記第２の通信手段が無線通信手段であり、前記第１の通信手段は、前記第２の通信手段よりも通信距離が短い無線通信を行うことを特徴とする請求項１または請求項２に記載の通信装置。
【請求項６】
前記制御手段は、前記第１の通信手段による通信が確立している際に前記第２の通信手段による通信が確立すると、前記第１の通信手段による通信を切断することを特徴とする請求項５に記載の通信装置。
【請求項７】
前記制御手段は、前記通信装置が省電力状態に移行する場合には、前記第１の通信手段への電力供給を維持しないことを特徴とする請求項１から請求項６のいずれか１項に記載の通信装置。
【請求項８】
前記制御手段は、
前記通信装置が省電力状態に移行する場合には、前記第１の通信手段への電力供給を維持せず、
前記通信装置が前記省電力状態である際に前記通信装置の電源をＯＦＦする操作が検出された場合、前記第１の通信手段への電力供給を維持した状態で前記通信装置を電源ＯＦＦ状態とすることを特徴とする請求項１に記載の通信装置。
【請求項９】
撮像手段と、
請求項１から請求項８のいずれか１項に記載の通信装置と、
を有することを特徴とする撮像装置。
【請求項１０】
第１の通信手段と第２の通信手段とを有する通信装置の制御方法であって、
前記第１の通信手段と前記第２の通信手段とによる通信が排他的に行われるように制御することと、
前記第２の通信手段による通信が確立している際に前記通信装置の電源をＯＦＦする操作が検出された場合、前記第１の通信手段への電力供給を維持した状態で前記通信装置を電源ＯＦＦ状態とすることと、
を有することを特徴とする通信装置の制御方法。
【請求項１１】
第１の通信手段と第２の通信手段とを有する通信装置が有するコンピュータを、請求項１から請求項８のいずれか１項に記載の通信装置の制御手段として機能させるためのプログラム。
【発明の詳細な説明】
【技術分野】
【０００１】
本発明は通信装置およびその制御方法に関し、特に複数の方法で外部機器と通信可能な通信装置およびその制御方法に関する。
【背景技術】
【０００２】
複数の通信方法（規格）に対応した通信装置が知られている。このような通信装置では、外部機器から通信装置のリソース（メモリカードなど）へのアクセス競合を防止するため、同時に複数の通信方法を利用できないように制御されることがある（特許文献１）。
【先行技術文献】
【特許文献】
【０００３】
【特許文献１】特開２００３−２３３５７８号公報
【発明の概要】
【発明が解決しようとする課題】
【０００４】
有線通信と無線通信とが可能な通信装置の中には、電源スイッチがＯＦＦの状態でも外部装置から通信装置を操作（例えば起動）できるように、電源スイッチがＯＦＦされても無線通信機能を有効に維持する機能を有するものがある。このような通信装置に特許文献１に記載される制御を適用した場合、有線通信を行う外部装置が接続されると、無線通信機能が無効化される。無線通信機能は、その後、外部装置との接続が解除されると再び有効化される。しかしながら、外部装置との接続が維持された状態で通信装置の電源スイッチがＯＦＦされた場合、無線通信機能は無効のままであるため、外部装置から通信装置を操作する機能が使用できない。
【０００５】
本発明はこのような従来技術の課題に鑑みてなされたものであり、複数の通信方法に対応した通信装置およびその制御方法において、ユーザの使い勝手を考慮して通信方法の利用可否を制御する通信機器およびその制御方法を提供することを目的とする。
【課題を解決するための手段】
【０００６】
上述の目的は、通信装置であって、第１の通信手段と、第２の通信手段と、制御手段と、を有し、制御手段は、第１の通信手段と第２の通信手段とによる通信が排他的に行われるように制御し、第２の通信手段による通信が確立している際に通信装置の電源をＯＦＦする操作が検出された場合、第１の通信手段への電力供給を維持した状態で通信装置を電源ＯＦＦ状態とする、ことを特徴とする通信装置によって達成される。
【発明の効果】
【０００７】
本発明によれば、複数の通信方法に対応した通信装置およびその制御方法において、ユーザの使い勝手を考慮して通信方法の利用可否を制御する通信機器およびその制御方法を提供することができる。
【図面の簡単な説明】
【０００８】
【図１】実施形態に係る通信装置の一例としてのデジタルカメラに関する図
【図２】実施形態に係るデジタルカメラにおける設定操作の模式図
【図３】実施形態に係るデジタルカメラと外部装置との通信形態を模式的に示す図
【図４】第１実施形態に係る動作のシーケンスチャート
【図５】第１実施形態におけるデジタルカメラの動作に関するフローチャート
【図６】第２実施形態に係る動作のシーケンスチャート
【図７】第２実施形態におけるデジタルカメラの動作に関するフローチャート
【発明を実施するための形態】
【０００９】
以下、本発明の例示的な実施形態について添付図面に基づいて詳細に説明する。なお、以下の実施形態においては、本発明に係る通信装置の一例としてのデジタルカメラに関して説明する。しかしながら、本発明に撮影機能は必須ではなく、本発明は複数の通信方法に対応した任意の通信装置に適用可能である。このような通信装置にはデジタルカメラをはじめ、パーソナルコンピュータ、タブレットコンピュータ、携帯電話機、スマートフォン、ＰＤＡ、ゲーム機などが含まれるが、これらに限定されない。
【００１０】
図１（ａ）は、本実施形態の通信装置の一例であるデジタルカメラ１００（以下、単にカメラ１００という）の機能構成例を示すブロック図である。また、図１（ｂ）および（ｃ）は、カメラ１００の外観例を示す斜視図である。
【００１１】
制御部１０１は、例えばプログラマブルプロセッサであり、不揮発性メモリ１０３に記憶されたプログラムを作業用メモリ１０４に読み込んで実行することにより、以下に説明する通信制御を含む、カメラ１００の各機能を実現する。なお、制御部１０１はプログラマブルプロセッサの代わりに複数の制御ハードウェア回路から構成されてもよい。
【００１２】
撮像部１０２は、例えば、フォーカスレンズを含む撮影レンズユニットと、絞り兼用シャッタ、撮像素子、Ａ／Ｄ変換器などを有する。撮像部１０２の動作は制御部１０１が制御する。撮像素子は例えばＣＭＯＳイメージセンサやＣＣＤイメージセンサであり、複数の光電変換部が２次元配列された構成を有する。撮像素子は撮影レンズユニットによって撮像面に形成された光学像を複数の光電変換部で画素信号群に変換する。画素信号群はＡ／Ｄ変換器によってデジタルデータに変換され、画像データとして制御部１０１に供給される。
【００１３】
制御部１０１は画像データにホワイトバランス調整、色補間、符号化などの画像処理を適用して画像データファイルを生成し、例えばＤＣＦ(Design Rule for Camera File system)に従って、記録媒体１１０に記録する。
【００１４】
不揮発性メモリ１０３は、電気的に消去可能であり、制御部１０１のプログラマブルプロセッサが実行可能なプログラム、ユーザインタフェースデータ、設定値などが格納される。
【００１５】
作業用メモリ１０４は例えばＲＡＭであり、撮像部１０２で撮像された画像データを一時的に保持するバッファメモリとして用いられたり、ビデオメモリとして用いられたり、制御部１０１がプログラムを実行する際のワークメモリとして用いられたりする。
【００１６】
操作部１０５は、ユーザがカメラ１００に指示を入力するための複数のデバイス（ボタン、キー、スイッチ、タッチパネル、ダイヤルなど）の総称である。操作部１０５は例えば電源スイッチ１０５ｅ、シャッターボタン１０５ａ、方向キー１０５ｃ、ＯＫ（ＳＥＴ）キー１０５ｂ、メニューキー、再生／撮影モード切り替えスイッチ、動画撮影ボタン、接続ボタンなどを含んでよいが、これらに限定されない。なお、表示部１０６がタッチディスプレイの場合、表示部１０６が有するタッチパネル１０５ｄも操作部１０５を構成する。接続ボタンは、外部機器との通信開始を指示するために用いられる。操作部１０５の操作は制御部１０１で検知され、制御部１０１は検知した操作に応じた機能を実行する。
【００１７】
表示部１０６は、例えばＬＣＤであり、撮像部１０２が撮影した画像や、メニュー画面などのＧＵＩ画面、カメラ１００の情報などを表示するために用いられる。なお、表示部１０６はカメラ１００の外部機器であってもよい。
【００１８】
記録媒体１１０は例えばメモリカードであり、撮像部１０２での撮影によって生成された画像データファイルの記録先である。記録媒体１１０は、カメラ１００の内蔵メモリであってもよい。
【００１９】
本発明に係る通信装置は、少なくとも１つの無線通信規格に準拠した無線通信と、少なくとも１つの有線通信規格に準拠した有線通信とを、外部機器と実行可能であるものとする。そして、通信規格ごとに別個の通信インタフェースを有するものとする。本実施形態では、無線通信部１１１および近距離無線通信部１１２が無線通信を、有線通信部１１３が有線通信を実行するものとする。無線通信部１１１および近距離無線通信部１１２は異なる無線通信規格に準拠した無線通信を行う。有線通信部１１３は規格に応じたコネクタを、無線通信部１１１および近距離無線通信部１１２はそれぞれ規格に応じたアンテナを備える。また、各通信部１１１〜１１３は、準拠する規格に応じた周波数変換回路、レベル変換回路、変復調回路、送受信回路などを備える。なお、各通信部１１１〜１１３は着脱可能な通信モジュールの形態を有していてもよい。
【００２０】
無線通信部１１１と近距離無線通信部１１２とは（規格上の）最大通信距離、最高通信速度、および最大消費電力の少なくとも１つにおいて異なる無線通信を行うものとする。ここでは、近距離無線通信部１１２は無線通信部１１１よりも低消費電力で、待機状態（省電力状態や電源ＯＦＦ状態）において動作させるのに適している。また、近距離無線通信部１１２は、無線通信部１１１が準拠する規格よりも通信距離が短い無線通信を行うものとする。本実施形態では、無線通信部１１１がＩＥＥＥ８０２．１１ａ／ｂ／ｄ／ｇ／ｎ／ａｃなどの無線ＬＡＮ規格に準拠した無線通信を行うものとする。また、近距離無線通信部１１２はBluetooth（登録商標）バージョン4.0以降に規定されるＢＬＥ(Bluetooth Low Energy)に準拠した無線通信を行うものとする。ＢＬＥは消費電力が非常に少ないため、電源ＯＦＦ状態であっても通信機能を維持するのに適している。なお、これらは単なる例示であり、無線通信部１１１および近距離無線通信部１１２が準拠する規格の組み合わせは他の組み合わせであってもよい。また、有線通信部１１３が準拠する有線通信の規格についても特に制限はないが、本実施形態ではＵＳＢ(Universal Serial Bus)規格に準拠した通信を行うものとする。
【００２１】
本実施形態では、無線通信部１１１と有線通信部１１３による通信はいずれも比較的高速であり、例えば画像閲覧などの同様の機能を外部機器に提供可能であることから、いずれか一方のみを有効とする排他的な制御を行う。また、近距離無線通信部１１２による通信と有線通信部１１３による通信は、例えば電気的な干渉、電気容量の上限、メモリやプロセッサなどのリソースの競合防止を理由としてやはり一方のみを有効とする排他的な制御を行う。ただし、原則として近距離無線通信部１１２よりも無線通信部１１１および有線通信部１１３を優先するものとする。
【００２２】
したがって、無線通信部１１１は有線通信部１１３での通信が行われていない状態で通信を開始可能であり、有線通信部１１３は無線通信部１１１での通信が行われていない状態で通信を開始可能である。また、近距離無線通信部１１２による通信は、無線通信部１１１および有線通信部１１３での通信が行われていない状態でのみ可能である。無線通信部１１１および有線通信部１１３は、近距離無線通信部１１２が通信中でも通信を開始することができる。近距離無線通信部１１２による通信は、無線通信部１１１や有線通信部１１３での通信が開始されると切断される。
【００２３】
電源制御部１１５は、制御部１０１の制御に従い、電池または商用電源からカメラ１００内の構成要素へ電力を供給する。電源制御部１１５は、近距離無線通信部１１２については他の構成要素とは独立して電力供給のオンオフを制御可能である。
【００２４】
本実施形態においては、電源ＯＦＦ状態（電源スイッチをＯＦＦにした状態）での近距離無線通信を有効とするか否かを操作部１０５を通じて設定可能であり、設定は不揮発性メモリ１０３に記憶されているものとする。図２（ａ）に設定画面の例を示す。制御部１０１は、例えば操作部１０５のメニューボタンや方向キーの操作に応じて図２（ａ）に示すような設定画面を表示部１０６に表示させる。そして、「ＯＮ」または「ＯＦＦ」の選択操作を検出すると、制御部１０１は検出した操作に応じた設定値を不揮発性メモリ１０３に記憶する。制御部１０１は、「ＯＮ」が選択された場合には電源ＯＦＦ状態での近距離無線通信を有効とする設定を、「ＯＦＦ」が選択された場合には電源ＯＦＦ状態での近距離無線通信を無効とする設定を、不揮発性メモリ１０３に保存する。
【００２５】
図２（ｂ）は、電源スイッチをＯＮ状態からＯＦＦ状態する操作を模式的に示している。制御部１０１はこの操作を検出すると、不揮発性メモリ１０３を参照し、電源ＯＦＦ状態での近距離無線通信の有効／無効設定を参照する。
【００２６】
そして、制御部１０１は、電源ＯＦＦ状態での近距離無線通信を有効とする設定がなされていれば、電源制御部１１５に、近距離無線通信部１１２への電力供給を継続し、他の構成要素への電力供給を停止するように指示する。また、制御部１０１は、近距離無線通信部１１２に対して外部機器の探索動作を開始するように指示する。これにより、電源ＯＦＦ状態でも近距離無線通信部１１２には電力が供給され、外部機器とカメラ１００との近距離無線通信が可能な状態が維持される。一方、制御部１０１は、電源ＯＦＦ状態での近距離無線通信を無効とする設定がなされていれば、電源制御部１１５に、近距離無線通信部１１２を含む全ての構成要素への電力供給を停止するように指示する。
【００２７】
図３（ａ）はカメラ１００と外部装置とが通信する形態の例を模式的に示す図である。ここでは一例としてスマートフォン２００と無線通信を行い、パーソナルコンピュータ（ＰＣ）３００と有線通信を行う例を示している。なお、外部装置の種類や外部装置との通信方法はこの例に限定されない。例えばスマートフォン２００と有線通信を行い、ＰＣ３００と無線通信を行ってもよい。
【００２８】
外部装置がスマートフォン２００やＰＣ３００の様なコンピュータ機器の場合、外部装置で稼動するＯＳやアプリケーションを用いてカメラ１００から画像データを取得したり、カメラ１００を遠隔操作（例えば遠隔撮影）したりすることができる。
【００２９】
なお、図３（ａ）のスマートフォン２００のように、外部装置が無線通信部１１１による通信と近距離無線通信部１１２による通信の両方に対応している場合、近距離無線通信部１１２による通信を用いて無線通信部１１１の通信を開始することができる。例えば、カメラ１００と外部装置とでやりとりされるデータが少ない場合には近距離無線通信部１１２を用い、多くのデータを通信する場合には無線通信部１１１を用いるように切り替えることができる。
【００３０】
例えばスマートフォン２００においてカメラ制御アプリケーションが稼働しており、カメラ１００との間で近距離無線通信が確立しているとする。この状態では、上述した排他制御により、無線通信部１１１による通信は行われていない。そして、スマートフォン２００のユーザが、カメラ制御アプリケーションに対し、カメラ１００の記録媒体１１０に記録されている画像データファイルの転送など、データ量の大きな通信を伴う機能の実行を指示したとする。この指示に応答してカメラ制御アプリケーションは、スマートフォン２００からカメラ１００に、無線通信部１１１による無線通信の開始要求を近距離無線通信によって送信する。開始要求には無線通信部１１１による無線通信の確立に必要な認証情報などが含まれている。
【００３１】
開始要求は近距離無線通信部１１２から制御部１０１に転送される。制御部１０１は開始要求に応じて、無線通信部１１１にスマートフォン２００との通信を確立するように指示した後、近距離無線通信部１１２によるスマートフォン２００との通信を切断する。その後、スマートフォン２００と無線通信部１１１との間の無線通信が確立される。これにより、スマートフォン２００とカメラ１００とで、より高速な通信を利用することが可能になる。
【００３２】
図４は、図３（ａ）に示した機器間における動作シーケンスの例を示すシーケンスチャートである。
ここでは、カメラ１００とスマートフォン２００との間で近距離無線通信が確立した状態であるとする。したがって、スマートフォン２００はカメラ１００とペアリング済みであり、次回の接続時に改めてペアリングを行う必要は無い。
【００３３】
Ｐ３０１〜Ｐ３０５は、図２（ａ）を用いて説明した、電源ＯＦＦ状態における無線通信の有効／無効設定のシーケンスを示している。
Ｐ３０１で操作部１０５を通じて設定画面の「ＯＮ」または「ＯＦＦ」の選択がなされる（ここでは「ＯＮ」が選択されたものとする）。
Ｐ３０２で制御部１０１は、操作部１０５の操作から、「ＯＮ」が選択されたことを検出し、Ｐ３０３で不揮発性メモリ１０３に設定値の書き込み要求を送信する。これにより、Ｐ３０４で不揮発性メモリ１０３に設定値が書き込まれ、Ｐ３０５で制御部１０１に書き込み完了が通知される。
【００３４】
Ｐ３０６〜Ｐ３１２は、有線通信部１１３に外部機器が接続された際のシーケンスを示している。
Ｐ３０６でＰＣ３００が有線通信部１１３に接続されると、Ｐ３０７で有線通信部１１３はＰＣ３００と有線接続を確立する。Ｐ３０８で有線通信部１１３は接続の確立を制御部１０１に通知する。
Ｐ３０９で制御部１０１は、有線通信部１１３による通信が確立したことを受けて、近距離無線通信部１１２による通信の切断要求を近距離無線通信部１１２に送信する。
近距離無線通信部１１２は、Ｐ３１０で通信中のスマートフォン２００との間で通信切断処理を実行し、切断が完了するとＰ３１１で完了通知を制御部１０１に送信する。
Ｐ３１２でスマートフォン２００はカメラ１００との近距離無線通信が切断したことをメッセージ表示などでユーザに通知する。
【００３５】
Ｐ３１３〜Ｐ３２３は電源スイッチがＯＦＦにされた際のシーケンスを示している。
Ｐ３１３で操作部１０５の電源スイッチがＯＦＦ状態に操作されると、Ｐ３１４で制御部１０１がそれを検出する。
Ｐ３１５で制御部１０１は不揮発性メモリ１０３に対して電源ＯＦＦ状態の無線通信設定の取得要求を送信する。不揮発性メモリ１０３はＰ３１６で設定値を読み出し、Ｐ３１７で設定値を制御部１０１に送信する。上述の通り、ここでは電源ＯＦＦ状態で無線通信を有効とする設定（「ＯＮ」）がなされているものとする。
【００３６】
Ｐ３１８で制御部１０１は、電源制御部１１５に対し、近距離無線通信部１１２を除く各部への電力供給を停止するように指示する。また、Ｐ３１９で制御部１０１は電源ＯＦＦ時の処理として各部に処理の終了を指示し、それによってＰ３２０で有線通信部１１３はＰＣ３００との通信を切断する。Ｐ３２１で制御部１０１は、近距離無線通信部１１２に、対して接続要求を送信する。
【００３７】
Ｐ３２２で電源制御部１１５は近距離無線通信部１１２以外の構成要素への電力供給を終了する。
Ｐ３２３で近距離無線通信部１１２は周辺の機器へ自身の存在を通知するアドバタイズパケットの送信を開始する。ここでは、スマートフォン２００が近距離無線通信部１１２の通信範囲に存在し、Ｐ３２４でスマートフォン２００と近距離無線通信部１１２との間で近距離無線通信が確立する。Ｐ３２５でスマートフォン２００はカメラ１００との近距離無線通信が確立したことをメッセージ表示などでユーザに通知する。
【００３８】
図５は、図４のシーケンスチャートのうち、Ｐ３０６以降のカメラ１００の動作をフローチャートとして記載したものである。近距離無線通信部１１２による外部装置との通信が確立しており、電源ＯＦＦ状態での通信は有効（「ＯＮ」）に設定されているものとする。
【００３９】
Ｓ５０２で有線通信部１１３は外部装置が接続されたか否か判定し、接続されたと判定されればＳ５０３に処理を進め、判定されなければＳ５０２を繰り返し実行する。
Ｓ５０３で有線通信部１１３は外部装置との通信を確立し、制御部１０１に通知する。
【００４０】
Ｓ５０４で制御部１０１は、有線通信部１１３による通信が確立したことにより、近距離無線通信部１１２に対して切断要求を送信する。近距離無線通信部１１２は制御部１０１からの切断要求を受けて、外部装置との近距離無線通信を切断する。
【００４１】
Ｓ５０５で制御部１０１は、電源スイッチ１０５ｅをＯＦＦにする操作を検出したか否かを判定し、検出したと判定されれば処理をＳ５０６に進め、判定されなければＳ５０５を繰り返し実行する。電源スイッチのＯＦＦ操作が検出される前に有線通信部１１３による通信が切断された場合には、近距離無線通信部１１２による通信を再開させてもよい。
【００４２】
Ｓ５０６で制御部１０１は、電源ＯＦＦ時の処理（終了処理）を実行する。終了処理には、現在確立されている通信の切断処理が含まれ、従って有線通信部１１３による通信も切断される。
Ｓ５０７で制御部１０１は不揮発性メモリ１０３内の設定値を参照し、電源ＯＦＦ状態での通信が有効であるか否かを判定し、有効と判定されればＳ５０８に、有効と判定されなければＳ５１０に処理を進める。
【００４３】
Ｓ５０８で制御部１０１は、近距離無線通信部１１２に接続処理（アドバタイズ処理）の開始を要求する。近距離無線通信部１１２は要求に応答してアドバタイズ処理を開始する。通信範囲内に近距離無線通信部１１２と同じプロトコルに対応した外部装置が存在すれば、近距離無線通信部１１２は外部装置との間で近距離無線通信の確立処理を実行する。
【００４４】
Ｓ５０９で制御部１０１は電源制御部１１５に、近距離無線通信部１１２を除く、カメラ１００の構成要素への電力供給を停止するように指示する。電源制御部１１５は、指示に応答して、近距離無線通信部１１２を除くカメラ１００の構成要素への電力供給を停止する。
【００４５】
一方、Ｓ５１０で制御部１０１は電源制御部１１５に、近距離無線通信部１１２を含む、カメラ１００の全構成要素への電力供給を停止するように指示する。電源制御部１１５は、指示に応答して、カメラ１００の全構成要素への電力供給を停止する。
【００４６】
このように、本実施形態によれば、電源ＯＦＦ状態での通信を有効とする設定がなされている場合、電源ＯＦＦ時に無線通信が確立していなくても、無線通信部への電力供給を行い、外部装置との無線通信機能を維持するようにする。そのため、有線通信を確立する際に無線通信を切断する構成の通信装置において、有線通信が確立された状態（外部装置と通信装置とがケーブルで接続された状態）で電源ＯＦＦされた場合であっても、無線通信機能を維持することができる。そのため、従来のように有線通信が確立された際に電源ＯＦＦされた場合に外部装置からの遠隔操作が不能になることを回避できる。これにより、電源ＯＦＦ時の通信状態にかかわらず、電源ＯＦＦ状態の通信装置に対して、外部装置から電源ＯＮ状態にするといった遠隔操作が可能になる。
【００４７】
特に、電源ＯＦＦ時に無線通信が確立していない場合には、制御部１０１は近距離無線通信部１１２に対してスマートフォン２００との接続処理の開始を要求してから電源ＯＦＦ状態に移行させる。近距離無線通信１１２とスマートフォン２００の接続が確立された後、電源ＯＦＦ状態における外部装置からの遠隔操作が確実に実行できる。
【００４８】
なお、ここでは通信装置の起動状態において電源スイッチがＯＦＦされた場合について説明したが、省電力状態において電源スイッチがＯＦＦされた場合においても同様の動作を行うことができる。
【００４９】
なお、電源スイッチはＯＮ状態で省電力状態に移行する場合、省電力情態において近距離無線通信部１１２を有効とするか否かを、移行時の有線接続の有無に応じて変更してもよい。具体的には、有線通信部１１３と外部装置との有線通信が確立されている状態で省電力状態に移行する場合には、省電力状態が解除されると有線接続が直ちに復帰するため、省電力状態で近距離無線通信部１１２を有効にする必要はない。一方、有線通信部１１３と外部装置との有線通信が確立されていない状態で省電力状態に移行する場合には、近距離無線通信部１１２を有効にして省電力状態に移行してもよい。
【００５０】
●（第２実施形態）
次に、本発明の第２実施形態について説明する。本実施形態は、例えば図３（ｂ）に示すように、カメラ１００が無線通信部１１１または近距離無線通信部１１２によってスマートフォン２００と無線通信を行い、有線通信部１１３による通信が行われない状態を対象とする。
【００５１】
より具体的には、本実施形態は、有線通信部１１３による通信が確立しておらず、無線通信部１１１による通信が確立している場合に電源スイッチがＯＦＦされた場合の動作に関する。
【００５２】
図６および図７は第１実施形態における図４および図５に対応するシーケンスチャートおよびフローチャートであり、第１実施形態と同様の動作については図４および図５と同じ参照数字を付してある。
【００５３】
Ｐ３０１〜Ｐ３０５は図４と同様であるため説明を省略する。
Ｐ７０６で無線通信部１１１による無線通信を有効にする操作が操作部１０５で行われると、Ｐ７０７で制御部１０１が検出する。操作はメニュー画面内の項目選択であってもよいし、特定のスイッチ、ボタン等の操作であってもよい。
【００５４】
Ｐ７０８で制御部１０１は操作に応答して無線通信部１１１に対して無線通信接続要求を送信する。
Ｐ７０９で無線通信部１１１は外部装置（ここではスマートフォン２００）と無線通信接続処理を行う。通信が確立するとＰ７１０で無線通信部１１１は制御部１０１に対して無線通信接続通知を送信する。
Ｐ３０９〜Ｐ３１３は図４と同様であるため説明を省略する。
【００５５】
制御部１０１は、Ｐ３１４で電源スイッチがＯＦＦ状態に操作されたことを検出すると、Ｐ７１７で無線通信部１１１に対して無線通信の切断要求を送信する。切断要求に応答して無線通信部１１１はＰ７１８でスマートフォン２００との間で通信切断処理を実行し、切断が完了するとＰ７１９で完了通知を制御部１０１に送信する。
以降は第１実施形態と同様であるため説明を省略する。
【００５６】
図７は、図６のシーケンスチャートのうち、Ｐ７０６以降のカメラ１００の動作をフローチャートとして記載したものである。近距離無線通信部１１２による外部装置との通信が確立しており、電源ＯＦＦ状態での通信は有効（「ＯＮ」）に設定されているものとする。
【００５７】
Ｓ８０１で制御部１０１は、無線通信部１１１による無線通信を有効にする操作が検出されたか判定し、検出されたと判定されればＳ８０２に処理を進め、判定されなければＳ８０１を繰り返し実行する。なお、Ｓ８０１を繰り返し実行中に有線通信部１１３に外部装置が接続された場合には第１実施形態と同様の処理を実行することができる。
【００５８】
Ｓ８０２で制御部１０１は、無線通信部１１１に無線通信接続要求を送信する。そして、無線通信部１１１は外部装置と無線通信接続処理を行い、外部装置との無線通信を確立する。
Ｓ５０４で制御部１０１は、無線通信部１１１による通信が確立したことにより、近距離無線通信部１１２に対して切断要求を送信する。近距離無線通信部１１２は制御部１０１からの切断要求を受けて、外部装置との近距離無線通信を切断する。
【００５９】
Ｓ５０５で制御部１０１は、電源スイッチ１０５ｅをＯＦＦにする操作を検出したか否かを判定し、検出したと判定されれば処理をＳ５０６に進め、判定されなければＳ５０５を繰り返し実行する。電源スイッチのＯＦＦ操作が検出される前に無線通信部１１１による通信が切断された場合には、近距離無線通信部１１２による通信を再開させてもよい。
【００６０】
Ｓ５０６で制御部１０１は、電源ＯＦＦ時の処理（終了処理）を実行する。終了処理には、現在確立されている通信の切断処理が含まれ、従って無線通信部１１１による通信も切断される。
【００６１】
以降は、第１実施形態と同様であるため説明を省略する。本実施形態によっても、第１実施形態と同様の効果が実現できる。
【００６２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１００  カメラ、１０１…制御部、１０５…操作部、１１１…無線通信部、１１２…近距離無線通信部、１１３…有線通信部
【図１】
2019008724.tif 000003
【図２】
2019008724.tif 000004
【図３】
2019008724.tif 000005
【図４】
2019008724.tif 000006
【図５】
2019008724.tif 000007
【図６】
2019008724.tif 000008
【図７】
2019008724.tif 000009